(57)【要約】【課題】  パークサーバを用いてパーク機能を実現するＶｏＩＰシステムを提供することである。【解決手段】  ＶｏＩＰシステム１０は、複数のパーク番号を割り当てられたパークサーバ１６と、パーク番号のいくつかがそれぞれ割り当てられたパークキーを複数有するＳＩＰ電話機ａ１８〜ｅ２２と、ＳＩＰ電話機ａ１８〜ｅ２２及びパークサーバ１６とインターネット網１３とを接続するＮＡＴ１７と、インターネット網１３に接続された第１及び第２のプロキシサーバ１４、１５とを備え、通話中のＳＩＰ電話機のパークキーが押下されると、該ＳＩＰ電話機は第１又は第２のプロキシサーバ１４、１５を介して該パークキーに割り当てられたパーク番号をパークサーバ１６に通知し、該パーク番号に呼を転送してパークする構成とする。【選択図】        図１
2005167592.tif 000002
【特許請求の範囲】
【請求項１】
複数のパーク番号を割り当てられたパークサーバと、ネットワークに接続され前記パーク番号のいくつかがそれぞれ割り当てられたパークキーを複数有する１以上のＳＩＰ電話機と、ネットワークに接続された１以上のプロキシサーバとを備えたＶｏＩＰシステムであって、
通話中のＳＩＰ電話機のパークキーが押下されると、該ＳＩＰ電話機は前記プロキシサーバを介して該パークキーに割り当てられたパーク番号を前記パークサーバに通知し、該パーク番号に呼を転送してパークすることを特徴とするＶｏＩＰシステム。
【請求項２】
前記各ＳＩＰ電話機は、パークキーに割り当てられたパーク番号に呼がパークされたか否かを視覚的に報知する報知手段を備え、
前記各ＳＩＰ電話機は、定期的に前記プロキシサーバを介して前記パークサーバへサブスクライブ信号を送信し、
呼がパークされた場合又はパーク呼が切断された場合、前記パークサーバは、各ＳＩＰ電話機にその旨を通知し、
該通知を受けた各ＳＩＰ電話機は、呼がパークされた場合には該当する前記報知手段を作動させることを特徴とする請求項１記載のＶｏＩＰシステム。
【請求項３】
作動している報知手段に対応したパークキーが押下されると、該ＳＩＰ電話機はパーク呼をピックアップすることを特徴とする請求項２記載のＶｏＩＰシステム。
【請求項４】
パーク番号が割り当てられたパークキーを複数有する１以上のＳＩＰ電話機に接続されるとともに、ネットワークを介して１以上のプロキシサーバに接続されたパークサーバであって、
各ＳＩＰ電話機に割り当てられたパーク番号の全てを有し、
通話中のＳＩＰ電話機のパークキーが押下されると、該ＳＩＰ電話機から前記プロキシサーバを介して送信される該パークキーに割り当てられたパーク番号を受信し、該パーク番号に呼をパークすることを特徴とするパークサーバ。
【請求項５】
前記何れかのＳＩＰ電話機から前記プロキシサーバを介してサブスクライブ信号を受信し、
呼がパークされた場合又はパーク呼が切断された場合、各ＳＩＰ電話機にその旨を通知することを特徴とする請求項４記載のパークサーバ。
【請求項６】
前記何れかのＳＩＰ電話機がパークされた呼をピックアップするとパークされた呼が切断され、
パーク番号を共有する全てのＳＩＰ電話機にパーク呼の切断を通知することを特徴とする請求項４又は５記載のパークサーバ。
【請求項７】
複数のパーク番号を割り当てられたパークサーバに接続されるとともに、ネットワークを介して１以上のプロキシサーバに接続されたＳＩＰ電話機であって、
前記パーク番号のいくつかがそれぞれ割り当てられたパークキーを複数有し、
通話中にパークキーが押下されると、前記プロキシサーバを介して該パークキーに割り当てられたパーク番号を前記パークサーバに通知し、該パーク番号に呼を転送してパークすることを特徴とするＳＩＰ電話機。
【請求項８】
パークキーに割り当てられたパーク番号に呼がパークされたか否かを視覚的に報知する報知手段を備え、
定期的に前記プロキシサーバを介して前記パークサーバへサブスクライブ信号を送信し、
共有しているパーク番号に呼がパークされた場合又はパーク呼が切断された場合、前記パークサーバからその旨を受信し、
呼がパークされた場合には該当する前記報知手段を作動させることを特徴とする請求項７記載のＳＩＰ電話機。
【請求項９】
作動している報知手段に対応したパークキーが押下されると、パーク呼をピックアップすることを特徴とする請求項８記載のＳＩＰ電話機。
【発明の詳細な説明】
【技術分野】
【０００１】
本発明は、ＳＩＰプロトコルを用いたＶｏＩＰシステムとそれを構成するＳＩＰ電話機及びパークサーバに関するものである。
【背景技術】
【０００２】
現在、ＶｏＩＰ（Voice over Internet Protocol）システム（非特許文献１参照）、所謂インターネット電話が普及しつつある。このＶｏＩＰシステムの代表的な呼制御プロトコルとしてＳＩＰ（Session Initiation Protocol）がある。
【０００３】
ＳＩＰはインターネット仕様をベースにしており、例えば、相手を指定するのに電話番号の他にＵＲＩ（Universal Resource Identifier）が使えたり、呼制御のやり取りをＷｅｂアクセスと同様のリクエスト−レスポンス型で行うなど、既存のインターネット技術を上手く活用している。相手を呼び出すときにはＳＩＰ電話機とＳＩＰサーバの間だけで確認作業を行い、完了すればすぐ通話できるようになる。
【０００４】
図５は、従来のＶｏＩＰシステムの構成を示すブロック図である。ＶｏＩＰシステム１００は、本社と支店の関係のような社内ＬＡＮ１１０、１２０と、社内ＬＡＮ１１０、１２０間を接続するインターネット網１３０と、社内ＬＡＮ１１０、１２０に様々なサービスを提供するＳＩＰサーバの一つである第１及び第２のプロキシサーバ１４０、１５０とから構成される。
【０００５】
社内ＬＡＮ１１０は、インターネット網１３０に接続されるＮＡＴ（Network Address Translation）１７０と、ＮＡＴ１７０に接続されるＳＩＰ電話機Ａ１８０〜ＳＩＰ電話機Ｅ２２０とを備え、同様に社内ＬＡＮ１２０は、ＮＡＴ２４０と、ＳＩＰ電話機Ｆ２５０〜ＳＩＰ電話機Ｊ２９０とを備える。
【０００６】
呼の確立手順はインターネットで一般的なＤＮＳ（domain name system）に似た手法を使う。例えば、ＳＩＰ電話機Ａ１８０からＳＩＰ電話機Ｆ２５０に電話をかける場合、まず、ＳＩＰ電話機Ａ１８０が「ＩＮＶＩＴＥ」メッセージを第１又は第２のプロキシサーバ１４０、１５０に送り、ＳＩＰ電話機Ｆ２５０との接続を要求する。第１又は第２のプロキシサーバ１４０、１５０は「ＩＮＶＩＴＥ」メッセージをＳＩＰ電話機Ｆ２５０に送出する。これにＳＩＰ電話機Ｆ２５０が「２００  ＯＫ」メッセージを返し、このメッセージに対するＡＣＫ（acknowledgement）をＳＩＰ電話機Ａ１８０が返答すれば、通話が始まる。
【０００７】
また、ＳＩＰの制御にはCall Pickupと呼ばれる制御がある。グループのＳＩＰ電話機は固有の主番号と共有グループの副番号（パーク番号）を有することができる。副番号は複数有することができ、それぞれ独立したグループを形成することができる。主番号に着信があった場合はそのＳＩＰ電話機のみ鳴動する。副番号に着信があった場合は着信したグループに属するＳＩＰ電話機が鳴動する。そして、Call Pickupにより、鳴動していないグループのＳＩＰ電話機であっても、着信している副番号を入力してピックアップ操作を行えばこの着信に応答して通話を行うことができる（非特許文献２参照）。
【非特許文献１】日経ＮＥＴＷＯＲＫ (2002.6 p.51-p.69)
【非特許文献２】インターネット HYPERLINK "URL:http://www.softfront.co.jp/tech/ietfdoc/trans/draft-ietf-sipping-service-examples-04j.txt" URL:http://www.softfront.co.jp/tech/ietfdoc/trans/draft-ietf-sipping-service-examples-04j.txt
【発明の開示】
【発明が解決しようとする課題】
【０００８】
ここで、非特許文献２を用いてＳＩＰ電話機ＡとＳＩＰ電話機Ｂ間の通話をＳＩＰ電話機ＡとＳＩＰ電話機Ｃ間の通話に切り換えるには、ＳＩＰ電話機ＣがＳＩＰ電話機ＡのＣａｌｌ  ＩＤやＴａｇを知っている必要がある。しかしながら、Ｃａｌｌ  ＩＤやＴａｇは数十桁から数百桁もあり、実現は困難であった。
【０００９】
本発明は、パークサーバを用いてパーク機能を実現するＶｏＩＰシステムを提供することを目的とする。また、該システムを構成するパークサーバやＳＩＰ電話機を提供することも目的とする。
【課題を解決するための手段】
【００１０】
上記目的を達成するために本発明は、複数のパーク番号を割り当てられたパークサーバと、ネットワークに接続され前記パーク番号のいくつかがそれぞれ割り当てられたパークキーを複数有する１以上のＳＩＰ電話機と、ネットワークに接続された１以上のプロキシサーバとを備えたＶｏＩＰシステムであって、通話中のＳＩＰ電話機のパークキーが押下されると、該ＳＩＰ電話機は前記プロキシサーバを介して該パークキーに割り当てられたパーク番号を前記パークサーバに通知し、該パーク番号に呼を転送してパークすることを特徴とする。
【００１１】
このように、パークサーバを社内等に設置することにより、ＶｏＩＰシステムにおいて簡単にパーク機能を実現することができる。
【００１２】
また上記ＶｏＩＰシステムにおいて、前記各ＳＩＰ電話機は、パークキーに割り当てられたパーク番号に呼がパークされたか否かを視覚的に報知する報知手段を備え、前記各ＳＩＰ電話機は、定期的に前記プロキシサーバを介して前記パークサーバへサブスクライブ信号を送信し、呼がパークされた場合又はパーク呼が切断された場合、前記パークサーバは、各ＳＩＰ電話機にその旨を通知し、該通知を受けた各ＳＩＰ電話機は、呼がパークされた場合には該当する前記報知手段を作動させるように構成する。
【００１３】
この構成により、ユーザは各ＳＩＰ電話機のパークキーの点灯／消灯を見てパーク番号の使用状況を知ることができる。
【００１４】
更に上記ＶｏＩＰシステムにおいて、作動している報知手段に対応したパークキーが押下されると、該ＳＩＰ電話機はパーク呼をピックアップする構成とする。
【００１５】
この構成により、ユーザは簡単にパーク呼を受話することができる。
【００１６】
また本発明は、パーク番号が割り当てられたパークキーを複数有する１以上のＳＩＰ電話機に接続されるとともに、ネットワークを介して１以上のプロキシサーバに接続されたパークサーバであって、各ＳＩＰ電話機に割り当てられたパーク番号の全てを有し、通話中のＳＩＰ電話機のパークキーが押下されると、該ＳＩＰ電話機から前記プロキシサーバを介して送信される該パークキーに割り当てられたパーク番号を受信し、該パーク番号に呼をパークすることを特徴とする。
【００１７】
上記のパークサーバにおいて、前記何れかのＳＩＰ電話機から前記プロキシサーバを介してサブスクライブ信号を受信し、呼がパークされた場合又はパーク呼が切断された場合、各ＳＩＰ電話機にその旨を通知する構成とすることができる。
【００１８】
更に上記のパークサーバにおいて、前記何れかのＳＩＰ電話機がパークされた呼をピックアップするとパークされた呼が切断され、パーク番号を共有する全てのＳＩＰ電話機にパーク呼の切断を通知する構成とすることができる。
【００１９】
また本発明は、複数のパーク番号を割り当てられたパークサーバに接続されるとともに、ネットワークを介して１以上のプロキシサーバに接続されたＳＩＰ電話機であって、前記パーク番号のいくつかがそれぞれ割り当てられたパークキーを複数有し、通話中にパークキーが押下されると、前記プロキシサーバを介して該パークキーに割り当てられたパーク番号を前記パークサーバに通知し、該パーク番号に呼を転送してパークすることを特徴とする。
【００２０】
上記のＳＩＰ電話機において、パークキーに割り当てられたパーク番号に呼がパークされたか否かを視覚的に報知する報知手段を備え、定期的に前記プロキシサーバを介して前記パークサーバへサブスクライブ信号を送信し、共有しているパーク番号に呼がパークされた場合又はパーク呼が切断された場合、前記パークサーバからその旨を受信し、呼がパークされた場合には該当する前記報知手段を作動させる構成とすることができる。
【００２１】
更に上記のＳＩＰ電話機において、作動している報知手段に対応したパークキーが押下されると、パーク呼をピックアップする構成とすることができる。
【発明の効果】
【００２２】
本発明によれば、社内等にパークサーバを設置することにより、ＶｏＩＰシステムにおいて簡単にパーク機能を実現することが可能となる。その結果、ＳＩＰ電話機の使い勝手が向上する。
【発明を実施するための最良の形態】
【００２３】
図１は、本発明のＶｏＩＰシステムの構成を示すブロック図である。ＶｏＩＰシステム１０は、本社と支店の関係のような社内ＬＡＮ１１、１２と、社内ＬＡＮ１１、１２間を接続するネットワークであるインターネット網１３と、社内ＬＡＮ１１、１２に様々なサービスを提供するＳＩＰサーバの一つである第１及び第２のプロキシサーバ１４、１５とから構成される。
【００２４】
上記の社内ＬＡＮ１１、１２間は、例えばＶＰＮ（Virtual Private Network）を用いることができる。
【００２５】
社内ＬＡＮ１１は、インターネット網１３に接続されるＮＡＴ１７と、ＮＡＴ１７に接続されるパークサーバ１６と、ＮＡＴ１７に接続されるＳＩＰ電話機ａ１８〜ｅ２２と、複数のパーク番号が割り当てられたパークサーバ１６とを備え、同様に社内ＬＡＮ１２は、ＮＡＴ２４と、パークサーバ２３と、ＳＩＰ電話機ｆ２５〜ｊ２９とを備える。
【００２６】
パーク番号とは、呼をパーク（保留）するための電話番号であり、複数の電話機が同じパーク番号を共有することができる。例えば、ＳＩＰ電話機ａ１８〜ｅ２２には０００１〜０００５番のパーク番号を、ＳＩＰ電話機ｆ２５〜ｊ２９には０００６〜００１０番を共有させることができる。
【００２７】
なお、ＳＩＰ電話機ａ１８〜ｅ２２、ｆ２５〜ｊ２９には、パーク番号が割り当てられたパークキー（不図示）がそれぞれ複数個設けられている。パークキーを押下することで、呼をパークしたり、パークされた呼（パーク呼）をピックアップすることができる。このパークキーはＬＥＤ等のランプで発光し、パークキーに割り当てられたパーク番号が使用されているときは該パークキーを点灯させ、パークキーに割り当てられたパーク番号が使用されていないときは該パークキーを消灯させる仕様となっている。また、ＬＥＤの他にＬＣＤ等でもよく、パークキーに割り当てられたパーク番号に呼がパークされたか否かを視覚的に報知する報知手段であればよい。なお、パーク呼とは、指定のパーク番号に転送された呼をいう。
【００２８】
また、ＮＡＴ１７はグローバルＩＰアドレスと内部で使用しているプライベートＩＰアドレスを変換する機能を有し、ルータやファイアウォールソフトウェア等でサポートすることができる。
【００２９】
呼の確立手順はインターネットで一般的なＤＮＳに似た手法を使う。例えば、ＳＩＰ電話機ａ１８からＳＩＰ電話機ｆ２５に電話をかける場合、まず、ＳＩＰ電話機ａ１８が「ＩＮＶＩＴＥ」メッセージを第１のプロキシサーバ１４に送り、ＳＩＰ電話機ｆ２５との接続を要求する。第１のプロキシサーバ１４は「ＩＮＶＩＴＥ」メッセージをＳＩＰ電話機ｆ２５に送出する。これにＳＩＰ電話機ｆ２５が「２００  ＯＫ」メッセージを返し、このメッセージに対するＡＣＫをＳＩＰ電話機ａ１８が返答すれば、通話が始まる。
【００３０】
なお、第１のプロキシサーバ１４に障害があって繋がらない場合は第２のプロキシサーバ１５に接続される。
【００３１】
各ＳＩＰ電話機ａ１８〜ｅ２２又はｆ２５〜ｊ２９は、定期的（例えば１時間毎）にパークサーバ１６又は２３へサブスクライブ信号を送信してサブスクリプションを起こす。
【００３２】
図２は、上記のサブスクリプションの起動を示すシーケンス図である。ＳＩＰ電話機ａ１８を例に図示している。まず、ＳＩＰ電話機ａ１８が「ＲＥＧＩＳＴＥＲ」メッセージを第１のプロキシサーバ１４に送り、「２００  ＯＫ」メッセージを受け取って通信を確保する。次に、ＳＩＰ電話機ａ１８は「ＳＵＢＳＣＲＩＢＥ」メッセージを第１のプロキシサーバ１４を介してパークサーバ１６へ送信する。「ＳＵＢＳＣＲＩＢＥ」メッセージには、そのＳＩＰ電話機ａ１８が共有するパーク番号が含まれる。これに応答してパークサーバ１６は「２００  ＯＫ」メッセージを、更にパーク番号の使用状況が変化した場合（呼がパークされた場合又はパーク呼が切断された場合）には「ＮＯＴＩＦＹ」メッセージを第１のプロキシサーバ１４を介してＳＩＰ電話機ａ１８へ送信する。「ＮＯＴＩＦＹ」メッセージには、各パーク番号の使用状況が含まれる。これに応答して、ＳＩＰ電話機ａ１８は「２００  ＯＫ」メッセージを第１のプロキシサーバ１４を介してパークサーバ１６へ送信する。
【００３３】
このような通信により、各ＳＩＰ電話機は各パーク番号の使用状況を知ることができる。そして、呼がパークされた場合又はパーク呼が切断された場合、通知を受けた各ＳＩＰ電話機は、パークキーに割り当てられたパーク番号が使用されているときは該パークキーを点灯させ、パークキーに割り当てられたパーク番号が使用されていないときは該パークキーを消灯させる。
【００３４】
従って、ユーザはパークキーの点灯／消灯を見てパーク番号の使用状況を知ることができる。
【００３５】
次に、パーク動作について説明する。通話中のＳＩＰ電話機のパークキーが押下されると、該ＳＩＰ電話機はパークキーに割り当てられたパーク番号を電話番号とするパークサーバに呼を転送してパークすることができる。尚、パークサーバはプロキシサーバからみて端末（ＳＩＰ電話機）として動作しており、呼をパークする場合はパークサーバに割り当てられた電話番号（パーク番号）に呼を転送するものである。
【００３６】
図３は、パーク動作を示すシーケンス図である。ＳＩＰ電話機ａ１８、ｂ１９、ｃ２０を例に図示している。ここで、各ＳＩＰ電話機ａ１８、ｂ１９、ｃ２０は０００１〜０００５のパーク番号に対応するパークキーを有するものとする。
【００３７】
ＳＩＰ電話機ａ１８とＳＩＰ電話機ｂ１９とが通話中の状態において、ＳＩＰ電話機ｂ１９のパークキー（例えば０００１番）が押下されると、その旨を含んだ「ＲＥＦＥＲ」メッセージが第１のプロキシサーバ１４へ送られる。これに応答して、第１のプロキシサーバ１４は０００１番を有する端末、つまりパークサーバ１６へこの「ＲＥＦＥＲ」メッセージを送る。そして、パークサーバ１６は「２０２  Ａｃｃｅｐｔｅｄ」メッセージ及び「ＮＯＴＩＦＹ」メッセージを第１のプロキシサーバ１４を介してＳＩＰ電話機ｂ１９へ送信する。これに応答して、ＳＩＰ電話機ｂ１９は「２００  ＯＫ」メッセージを第１のプロキシサーバ１４を介してパークサーバ１４へ送信する。
【００３８】
続いて、パークサーバ１４は「ＩＮＶＩＴＥ（Ｒｅｐｌａｃｅ）」メッセージを第１のプロキシサーバ１４を介してＳＩＰ電話機ａ１８へ送信する。これに応答して、ＳＩＰ電話機ａ１８は「２００  ＯＫ」メッセージを第１のプロキシサーバ１４を介してパークサーバ１４へ送信する。更にこのメッセージに対するＡＣＫをパークサーバ１４が返答する。これにより、ＳＩＰ電話機ａ１８の通話はパークされ、パークサーバ１４は「ＲＴＰ  Ｍｕｓｉｃ」をＳＩＰ電話機ａ１８へ送信する。
【００３９】
その後、ＳＩＰ電話機ａ１８は「ＢＹＥ」メッセージを第１のプロキシサーバ１４を介してＳＩＰ電話機ｂ１９へ送信する。パークサーバ１６は「ＮＯＴＩＦＹ」メッセージを第１のプロキシサーバ１４へ送信する。ＳＩＰ電話機ｂ１９は「２００  ＯＫ」メッセージを第１のプロキシサーバ１４へ送信する。第１のプロキシサーバ１４は「ＮＯＴＩＦＹ」メッセージをＳＩＰ電話機ｂ１９へ送信する。ＳＩＰ電話機ｂ１９は「２００  ＯＫ」メッセージを第１のプロキシサーバ１４を介してＳＩＰ電話機ａ１８へ送信する。これにより、ＳＩＰ電話機ｂ１９はＳＩＰ電話機ａ１８から切断される。
【００４０】
その後、パークサーバ１６は第１のプロキシサーバ１４から「２００  ＯＫ」メッセージを受信すると、呼がパークされていることを通知する「ＮＯＴＩＦＹ（Ｐａｒｋｅｄ）」メッセージを第１のプロキシサーバ１４を介して０００１番のパーク番号を共有するＳＩＰ電話機ｂ１９及びｃ２０へ送信する。この「ＮＯＴＩＦＹ（Ｐａｒｋｅｄ）」メッセージには、ＳＩＰ電話機ａ１８のＣＡＬＬ  ＩＤ及びＴａｇが含まれる。
【００４１】
これに応答して、ＳＩＰ電話機ｂ１９及びｃ２０は「２００  ＯＫ」メッセージを第１のプロキシサーバ１４へ送信する。そして、第１のプロキシサーバ１４は「２００  ＯＫ」メッセージをパークサーバ１６へ返す。これにより、端末間のパーク動作が完了する。
【００４２】
続いて、ＳＩＰ電話機ｂ１９及びｃ２０内では、０００１番のパーク番号に該当するパークキーが点灯する。従って、ユーザはパークキーの点灯を見て０００１番に呼がパークされていることを知ることができる。
【００４３】
次に、パーク呼のピックアップについて説明する。点灯しているパークキーが押下されると、該ＳＩＰ電話機はパーク呼をピックアップする。
【００４４】
図４は、パーク呼のピックアップ動作を示すシーケンス図である。なお、図４は図３から続いている状態を示す。つまり、ＳＩＰ電話機ａ１８の通話がパークサーバ１６にパークされている状態である。
【００４５】
この状態のとき、ＳＩＰ電話機ｃ２０で点灯しているパークキー（０００１番）が押下されると、ＳＩＰ電話機ｃ２０は受信したＣＡＬＬ  ＩＤとＴａｇを使用して「ＩＮＶＩＴＥ（Ｒｅｐｌａｃｅ）」メッセージを第１のプロキシサーバ１４へ送信し、パークサーバからＳＩＰ電話機ｃ２０へのＲｅｐｌａｃｅを要求する。プロキシサーバ１４は「１００  Ｔｒｙｉｎｇ」メッセージをＳＩＰ電話機ｃ２０へ返すとともに、「ＩＮＶＩＴＥ（Ｒｅｐｌａｃｅ）」メッセージをＳＩＰ電話機ａ１８へ送信する。ＳＩＰ電話機ａ１８は「２００  ＯＫ」メッセージを第１のプロキシサーバ１４を介してＳＩＰ電話機ｃ２０へ送信する。更にこのメッセージに対するＡＣＫをＳＩＰ電話機ｃ２０が返答する。これにより、ＳＩＰ電話機ａ１８とＳＩＰ電話機ｃ２０が繋がる。
【００４６】
続いて、ＳＩＰ電話機ａ１８は「ＢＹＥ」メッセージを第１のプロキシサーバ１４を介してパークサーバ１６へ送信する。これに応答して、パークサーバ１６は「２００  ＯＫ」メッセージを第１のプロキシサーバ１４を介してＳＩＰ電話機ａ１８へ返す。これにより、ＳＩＰ電話機ａ１８はパークサーバ１６から切断される。
【００４７】
そして、パークサーバ１６はＳＩＰ電話機ａ１８との切断が完了した旨の「ＮＯＴＩＦＹ（ｔｅｒｍｉｎａｔｅｄ）」メッセージを第１のプロキシサーバ１４を介してＳＩＰ電話機ｂ１９及びｃ２０へ送信する。
【００４８】
これに応答して、ＳＩＰ電話機ｂ１９及びｃ２０は「２００  ＯＫ」メッセージを第１のプロキシサーバ１４へ送信する。そして、第１のプロキシサーバ１４は「２００  ＯＫ」メッセージをパークサーバ１６へ返す。これにより、端末間のピックアップ動作が完了する。
【００４９】
続いて、ＳＩＰ電話機ｃ２０内では、０００１番のパーク番号に該当するパークキーがパーク呼の状態とは異なる色に点灯する。従って、ユーザはパークキーの点灯色が異なったことを確認して回線が繋がったことを知ることができる。
【００５０】
一方、ＳＩＰ電話機ｂ１９内では、０００１番のパーク番号に該当するパークキーが消灯する。
【００５１】
上記の実施形態のように、パークサーバを社内に設置することにより、ＶｏＩＰシステムにおいて簡単にパーク機能を実現することができる。
【産業上の利用可能性】
【００５２】
本発明のＳＩＰ電話機及びパークサーバはＶｏＩＰシステムに用いられ、本ＶｏＩＰシステムは、通話の転送が頻繁になされる電話システム、例えば社内の内線電話等に有効に利用することができる。
【図面の簡単な説明】
【００５３】
【図１】本発明のＶｏＩＰシステムの構成を示すブロック図である。
【図２】本発明のサブスクリプションの起動を示すシーケンス図である。
【図３】本発明のパーク動作を示すシーケンス図である。
【図４】本発明のパーク呼のピックアップ動作を示すシーケンス図である。
【図５】従来のＶｏＩＰシステムの構成を示すブロック図である。
【符号の説明】
【００５４】
１０    ＶｏＩＰシステム
１１、１２    社内ＬＡＮ
１３    インターネット網
１４    第１のプロキシサーバ
１５    第２のプロキシサーバ
１６、２３    パークサーバ
１７、２４    ＮＡＴ
１８〜２２、２５〜２９    ＳＩＰ電話機
【図１】
2005167592.tif 000003
【図２】
2005167592.tif 000004
【図３】
2005167592.tif 000005
【図４】
2005167592.tif 000006
【図５】
2005167592.tif 000007